(57)【要約】【課題】ディスクの種類を選択することにより高速な起動ができるとともに、ディスクの種類が増加しても、ディスクの種類の選択が容易なディスク再生装置を提供する。【解決手段】複数種類のディスクを再生可能なディスク再生装置において、ディスクの種類が表示される表示部とこの表示部のディスクの種類表示に対応した種類別のスイッチとを有する操作部と、ディスクが装填されるローディグトレイとを備え、スイッチの押圧操作によって、ディスクが装填されたローディングトレイの格納と、ディスクの種類に応じた調整と、ディスクの再生とが行われ、スイッチの使用度に基づいて、操作部における形態が変化する。【選択図】図４
2008310872.tif 000002
【特許請求の範囲】
【請求項１】
複数種類のディスクを再生可能なディスク再生装置において、
前記ディスクの種類が表示される表示部と前記表示部の前記ディスクの種類表示に対応した種類別のスイッチとを有する操作部と、前記ディスクが装填されるローディグトレイとを備え、
前記スイッチの押圧操作によって、前記ディスクが装填された前記ローディングトレイの格納と、前記ディスクの種類に応じた調整と、前記ディスクの再生とが行われ、
前記スイッチの使用度に基づいて、前記操作部における形態が変化することを特徴とするディスク再生装置。
【請求項２】
請求項１に記載のディスク再生装置において、
前記操作部における形態の変化が、前記表示部における明るさの変化であることを特徴とするディスク再生装置。
【請求項３】
請求項１に記載のディスク再生装置において、
前記操作部における形態の変化が、前記表示部における色の変化であることを特徴とするディスク再生装置。
【請求項４】
請求項１に記載のディスク再生装置において、
前記表示部におけるディスクの種類表示が書き換え可能であり、
前記各スイッチの大きさが相互に異なり、
前記操作部における形態の変化が、前記スイッチの使用度が高くなるほど大きなスイッチと対応してディスクの種類が表示されるような、前記表示部における前記ディスクの種類表示の書き換えであり、
前記書き換えに応じてスイッチの機能が切り換わることを特徴とするディスク再生装置。
【発明の詳細な説明】
【技術分野】
【０００１】
本発明はディスク再生装置に関し、より詳細には、ディスクの再生を高速化したディスク再生装置に関する。
【背景技術】
【０００２】
ＣＤ（Compact Disc）、ＤＶＤ（Digital Versatile Disc）、ＢＤ（Blu-ray Disc：登録商標）、ＨＤＤＶＤ（High-Definition  Digital  Versatile  Disc：登録商標）など多くの種類のディスクが使用されるようになっている。これらのディスクは、ディスクに照射する光の波長が異なるので、１つのディスク再生装置で再生するには、ディスクの種類ごとに対応した波長が異なるレーザを使用して、再生しなければならない。
【０００３】
しかしながら、ディスク再生装置に装填されたディスクの種類が不明であると、ディスクに記録されたディスク種類を判別するためのディスク情報を読み取るまでに、順番にレーザを変更して、レーザパワーの調整、フォーカスの調整、トラッキングの調整などを行なう必要がある。また、２つの対物レンズを使用するディスク再生装置では、対物レンズを調整する必要もある。このような調整を行なうには、時間を要する。このため、ディスクを装填してからディスクが再生されるまでの待ち時間が長くなっていた。特に、ディスクの種類が多くなればなるほど、時間がかかることになる。
【０００４】
特許文献１では、光ディスク装置に挿入される光ディスクの種類を予めユーザが設定可能とし、ディスク判別という過程を省いた光ディスク装置が提案されている。
特許文献２では、光学系の切り換え、つまり対物レンズの切り換えが行われる光ディスク装置に、光ディスク選択スイッチが設けられ、この光ディスク選択スイッチを使用して、対物レンズの切り換えを行なうことにより、ディスクの判別に時間をかけないようにした光ディスク装置が提案されている。
特許文献３では、記録媒体の種類の選択をユーザに促し、ユーザが選択した記録媒体の種類に応じて再生に必要な情報を記録媒体から取得する情報再生装置が提案されている。
【０００５】
特許文献４では、繰り返し行われるコントロールデータの読み込みなどの初期手続項目に対する処理を予め指定しておくことにより、光ディスクを挿入してから記録再生の状態になるまでの時間を短縮した光ディスク装置が提案されている。
特許文献５では、光ディスクプレーヤに字幕用言語、音声用言語およびオーディオフォーマットに関連した少なくとも一つの再生モードを、ユーザメニュー中で設定して保管し、この保管された再生モードに従って、再生を行なう光ディスクプレーヤが提案されている。
特許文献６は、本発明の出願人によるものであり、イジェクトスイッチの操作による引き込み動作時に、イジェクトスイッチを１回押すと自動判定モード、２回連続押すとＣＤ優先モード、３回押すとＤＶＤ優先モードというように、引き込み動作時の連続押しの回数によって３種類のモードを切り換える情報処理装置が提案されている。
【０００６】
【特許文献１】特開平１０−２４７３５８号公報
【特許文献２】特開平９−１９８６６３号公報
【特許文献３】特開２００４−３１９０５１号公報
【特許文献４】特開２００２−７４６５９号公報
【特許文献５】特開２００４−１１１０３６号公報
【特許文献６】特許第３７１４５５６号公報
【発明の開示】
【発明が解決しようとする課題】
【０００７】
しかしながら、特許文献１に記載の光ディスク装置では、光ディスク装置の前面に設けられたボタン状のスイッチやDipスイッチによって、ディスクモードの切り換えが行なわれているが、ディスクの種類が増えるとスイッチの種類も多くなり、ユーザはスイッチを判別しづらくなる。
【０００８】
特許文献２に記載の光ディスク装置にあっても、光ディスク選択スイッチはフロントパネルに設けられているが、ディスクの種類が増えると、モードの切り換えが行なうのが煩雑になったり、選択スイッチを判別しづらくなったりする。
特許文献３に記載の情報再生装置では、光ディスクの選択表示などの各種指示を入力するための操作指示ボタンと各種情報を表示するための表示パネルが設けられているが、表示パネルには光ディスクの種類の選択を促す情報が表示されるのみであり、ディスクの種類が増えてくると、操作指示ボタンを判別しづらくなる。
【０００９】
特許文献４に記載の光ディスク装置では、ライブラリ装置などに装填された光ディスク装置を交換する場合のモード切り換えが対象であり、ユーザが個別に光ディスクを装填する場合とは異なるものである。
特許文献５に記載の光ディスクプレーヤは、字幕用言語の切り換えなどの再生モードを記憶することにより、例えば、初期状態を日本語モードとして記憶することにより、再生モードの設定を行なわなくても再生できるようにしたものである。したがって、ＣＤ、ＤＶＤなどの波長が異なる種類のディスクを装填した場合の光ディスクプレーヤの調整に対しては、高速化がされていない。
特許文献６に記載の情報処理装置では、イジェクトスイッチの操作による引き込み動作時に、このイジェクトスイッチの連続押しの回数により再生モードを切り換えるものであり、モードを切り換えようとすると、イジェクトスイッチは何度も押す必要がある。
【００１０】
本発明はこのような実情に鑑み、ディスクの種類を選択することにより高速な起動ができるとともに、ディスクの種類が増加しても、ディスクの種類の選択が容易なディスク再生装置を提供することを目的とする。
【課題を解決するための手段】
【００１１】
上記目的を達成すべく本発明は次の技術的手段を講じた。
本発明では、複数種類のディスクを再生可能なディスク再生装置において、ディスクの種類が表示される表示部とこの表示部のディスクの種類表示に対応した種類別のスイッチとを有する操作部と、ディスクが装填されるローディグトレイとを備え、スイッチの押圧操作によって、ディスクが装填されたローディングトレイの格納と、ディスクの種類に応じた調整と、ディスクの再生とが行われ、スイッチの使用度に基づいて、操作部における形態が変化する。
【００１２】
このようにすると、ディスクの種類別に割り当てられたスイッチを押圧することにより、ディスクの種類を判別できるので、自動判別の時間が短縮でき、高速な起動ができる。すなわち、ディスクの判別は、最終的にはディスクに記録されているディスク種類判別用のディスク情報を読み取ることにより行われるが、このディスク情報の読み取りを行なうのに、レーザを変更して調整する必要がなくなり高速に起動できる。つまり、従来であれば、ＣＤ、ＤＶＤ、ＢＤに対応したディスク再生装置でディスクの種類を自動判別する場合、例えば、ＣＤレーザ、ＤＶＤレーザ、ＢＤレーザの順番に波長を変更しつつ、夫々のレーザにおいて、レーザパワー、フォーカス、トラッキングなどの調整を必要とする。この場合、ＣＤレーザで読み取れない場合は、装填されたディスクがＣＤではないと判断し、ＤＶＤレーザでの読み取りを試行するが、上述のようにディスクの種類が予め判別されていると、レーザを変更しつつ判別する必要がなく、起動を高速化できる。
また、複数のピックアップ（対物レンズ）を備えるディスク再生装置であってもピックアップを変更する必要がなく、起動を高速化できる。
【００１３】
さらに、ディスクの種類が多くなると、ディスク種類別のスイッチの数が増加し、ユーザが所望のスイッチを探し、押圧するまでに時間がかかることになるが、使用度が高い操作部の形態、つまりスイッチや当該スイッチに対応する表示部の形態が変化していれば、ユーザは形態の変化によりスイッチが識別しやすくなるので、スイッチの選択を容易に行なうことができる。
【００１４】
本発明では、操作部における形態の変化が、例えば表示部における明るさの変化である。
このようにすると、スイッチの数が多くなっても、使用度が高いスイッチに対応する表示部が明るくなっているので、ユーザは使用度が高いスイッチを容易に選択することができる。
【００１５】
本発明では、操作部における形態の変化が、表示部における色の変化であってもよい。
このようにすると、使用度の高いスイッチに対応する表示部の色が変化するので、ユーザは使用度が高いスイッチを容易に選択することができる。
【００１６】
本発明では、表示部におけるディスクの種類表示が書き換え可能であり、各スイッチの大きさが相互に異なり、操作部における形態の変化が、スイッチの使用度が高くなるほど大きなスイッチと対応してディスクの種類が表示されるような、表示部におけるディスクの種類表示の書き換えであって、この書き換えに応じてスイッチの機能が切り換わるようにしてもよい。
【００１７】
このようにすると、使用度の高いスイッチほどスイッチの大きさが大きくなるようにディスクの種類表示が切り換わるので、ユーザは使用度の高いスイッチを容易に選択することができる。また、スイッチの機能の切り換えに伴って、ディスクの種類表示も書き換えられるので、ユーザが別の種類のディスクに対応するスイッチを誤って選択することが低減する。
【発明の効果】
【００１８】
本発明によれば、ディスクの種類を選択することにより高速な起動ができるとともに、ディスクの種類が増加しても、ディスクの種類の選択が容易なディスク再生装置を得ることができる。
【発明を実施するための最良の形態】
【００１９】
以下、本発明の実施形態を図面を参照しながら説明する。
図１は、本発明のディスク再生装置１００のブロック図であり、図２は、本発明のディスク再生装置１００の全体図である。
ディスク１に書き込まれているデータは、光ピックアップ２によって読み取られ、ＲＦアンプ３で増幅された後、ディジタル信号処理回路４に入力される。ディジタル信号処理回路４の出力は、ディスク１に照射されるレーザの出力を制御するレーザドライバ５に接続されている。そして、ディジタル信号処理回路４では、光ピックアップ２から出力するレーザパワーの調整が行なわれる。
また、ディジタル信号処理回路４には、ディスク１から実際に読み取ったデータを一時的に格納するＤＲＡＭ（Dynamic Random Access Memory）６が接続されている。このディスク再生装置１００は、ＣＤ、ＤＶＤ、ＢＤの３種類のディスク１を再生できる。このため、レーザは、ＣＤレーザ（波長７８０ｎｍ）、ＤＶＤレーザ（波長６５０ｎｍ）、ＢＤレーザ（波長４０５ｎｍ）の３種類が備えられている。また、図示しないが、光ピックアップ２はＣＤ／ＤＶＤ用の対物レンズとＢＤ用の対物レンズとを備えている。
【００２０】
サーボ処理回路７は、光ピックアップ２をディスク１の半径方向に移動させるためのフィードモータ８とディスク１を回転駆動するスピンドルモータ９とに接続されている。このサーボ処理回路７では、フォーカスの調整とトラッキングの調整が行なわれる。
【００２１】
ディジタル信号処理回路４およびサーボ処理回路７は、ディスク再生装置１００全体を制御する制御部１０と双方向に接続されている。制御部１０には、ディスク１のパラメータやレーザパワーのパラメータ等の固有情報を格納しておくための不揮発性メモリ１１が接続されている。また、不揮発性メモリ１１内には、スイッチ１３の使用度に関する情報が格納される。使用度は、例えば、過去１０回使用された中での使用回数の多い順、すなわち使用頻度とすることできる。
【００２２】
制御部１０には操作部１５が接続されており、この操作部１５はディスク１の種類に対応して再生を行なうためのスイッチ１３と、ディスク１の種類を表示し、ユーザがスイッチ１３の判別を行なうための表示部１４とからなる。また、制御部１０には、ディスク１が装填されるローディングトレイ２０（図２）を駆動するためのトレイ駆動部１６が接続されている。
【００２３】
図２に示すように、操作部１５は、ローディングトレイ２０の前面に設けられている。スイッチ１３は、ＣＤ、ＤＶＤ、ＢＤの３種類のディスクに対応してＣＤ用スイッチ１３ａ、ＤＶＤ用スイッチ１３ｂ、ＢＤ用スイッチ１３ｃの３つのスイッチからなり、３つのスイッチ１３ａ〜１３ｃの夫々に対応して、ＣＤ用表示部１４ａ、ＤＶＤ用表示部１４ｂ、ＢＤ用表示部１４ｃの３つの表示部１４が設けられている。第１の実施形態では、矩形の押しボタン状のスイッチ１３ａ、１３ｂ、１３ｃの前面に表示部１４ａ、１４ｂ、１４ｃが設けられている。
ディスク１の種類別のスイッチ１３ａ、１３ｂ、１３ｃのいずれかが押圧されると、ディスク１が装填されたローディングトレイ２０が筐体２１に格納される。さらに、この押圧されたスイッチ１３ａ、１３ｂ、１３ｃに基づいて、ディスク１の種類が判別され、ディスク１に応じた様々な調整を行ない、ディスク１が再生される。
【００２４】
上述したように、ディスク１の種類に応じて、レーザパワー、フォーカス、トラッキングの調整が行なわれるが、ディスク１の種類を自動判別するディスク再生装置１００の場合、従来であれば、これらレーザパワー等の調整は使用されるレーザを変更しながら行なわれる。この調整は、例えば、ＣＤレーザ、ＤＶＤレーザ、ＢＤレーザの順に行われ、ローディングトレイ２０にＢＤが装填された場合であっても、ＣＤレーザでレーザパワー等の調整を行ない、調整できないと装填されたディスク１がＣＤでないと判断し、ＤＶＤレーザで調整を行なう。さらに、ＤＶＤで調整できないとＢＤレーザで調整を行なう。このため、ディスク１を自動判別するには時間を要するが、予めディスク１の種類が判別されていると、自動判別の処理が必要でなく、調整を高速化できる。また、予めディスク１の種類が判別されていると、使用される対物レンズ等の調整も高速化できる。
【００２５】
図３は、第１の実施形態にかかる操作部１５を示す図である。第１の実施形態にかかる操作部１５の形態変化では、表示部１４の明るさを変更することにより、使用度の高いスイッチ１３が強調される。図３では、表示部１４の明るさをハッチングで示している。表示部１４の明るさは、表示部１４の裏側に発光ダイオードを設けることにより、変化させることができる。
図３（ａ）は、初期状態（工場出荷時の状態）であり、全てのスイッチ１３の表示部１４が同じ明るさである。
【００２６】
図３（ｂ）は、ＣＤ、ＤＶＤ、ＢＤの順に使用回数が多い場合の表示部１４を示す。この場合、ＣＤ用スイッチ１３ａの使用度が最も高く、次いでＤＶＤ用スイッチ１３ｂの使用度が高く、ＢＤ用スイッチ１３ｃの使用度が最も低い。この場合、使用度が最も高いＣＤ用スイッチ１３ａに対応するＣＤ用表示部１４ａが最も明るく、次いでＤＶＤ用表示部１４ｂ、最も暗いのがＢＤ用表示部１４ｃである。
図３（ｃ）は、ＢＤ、ＤＶＤ、ＣＤの順に使用度が高い場合であり、ＢＤ用表示部１４ｃが最も明るく、次いで、ＤＶＤ用表示部１４ｂ、最も暗いのがＣＤ用表示部１４ａである。
【００２７】
図４は、再生開始時のフローチャートである。ユーザがディスク再生装置１００の電源をＯＮにすると（ステップＳ１）、前回の使用度に基づいて操作部１５の形態が変化する（ステップＳ２）。第１の実施形態では、表示部１４の明るさが変化する。なお、初期状態では、前述のように全ての表示部１４の明るさが同一である。その後、イジェクトボタン（図示せず）が押圧されると、ローディングトレイ２０がオープンする（ステップＳ３）。
【００２８】
ユーザがＣＤ、ＤＶＤおよびＢＤのいずれかのディスク１をセットし（ステップＳ４）、それに対応したスイッチ１３を選択して、押圧する（ステップＳ５）。
その際、ディスク１の使用度を求めるために、押圧されたスイッチ１３の種類を不揮発性メモリ１１に記録する（ステップＳ６）。具体的には、例えば不揮発性メモリ１１にスイッチ１３ａ〜１３ｃごとのカウンタ領域を設け、スイッチ１３が１回押されるたびに、押されたスイッチに対応するカウンタ領域に１を加算する。この各カウンタ領域のカウント値が、上述の使用度を表している。
ステップＳ６で求められた使用度は、次回の再生時における操作部１５の形態を変化させる際（ステップＳ２）に使用する。
【００２９】
スイッチ１３は、ローディングトレイ２０のクローズ用スイッチと、ディスク１の種類別の調整用スイッチと、ディスク１の再生用スイッチとを兼ねている。したがって、スイッチ１３が押されると、まず、ローディングトレイ２０がクローズし（ステップＳ７）、ローディングトレイ２０が筐体２１に格納される。
【００３０】
その後、システムの起動動作が開始し（ステップＳ８）、スイッチ１３ａ〜１３ｃのいずれが押されたかを表すスイッチ押圧情報を判別し（ステップＳ９）、このスイッチ押圧情報に基づいて、光ピックアップの調整が行なわれる（ステップＳ１０）。
ＣＤ用スイッチ１３ａが押圧されていると、ＣＤに対応した調整が行なわれ（ステップＳ１０Ａ）、ＤＶＤ用スイッチ１３ｂが押圧されているとＤＶＤに対応した調整が行なわれ（ステップＳ１０Ｂ）、ＢＤ用スイッチ１３ｃが押圧されていると、ＢＤに対応した調整（ステップＳ１０Ｃ）が行われる。
調整には、レーザパワー、フォーカス、トラッキング等の調整や対物レンズの調整が含まれるが、ディスク１の種類が、押圧されたスイッチに基づいて予め判別できているので、上述のようにこれらの調整に要する時間が短い。
【００３１】
調整が終了すると、ディスク１に記録されているディスク種類を判別するためのディスク情報を再生し（ステップＳ１１）、最終的にディスク１の種類を確認する（ステップＳ１２）。
ディスク１の種類が確認できると、ディスク１の種類判別を終了し、ディスク１の種類に応じたディスク１の再生動作が行なわれる（ステップＳ１３）。
なお、押圧されたスイッチ１３に基づくディスク種類と、ディスク１に記録されたディスク種類の情報が異なっていれば、すなわちディスク１が読み取れなければ、従来の方法で自動的にディスク種類の判別処理をする。
【００３２】
上述の実施形態では、使用度は、スイッチ１３が過去１０回使用された中での使用頻度となっているが、使用度が、例えば、過去１００回使用された中での使用頻度であってもよく、使用度としてカウントされるスイッチ１３の回数は、適宜、変更可能である。
【００３３】
また、使用順に基づき、現在に近いほど使用度が高くなっていてもよい。すなわち、使用度が、前回、前々回の順に低くなっていてもよい。
この場合、ＣＤ用スイッチ１３ａが前回に押圧されていると、ＣＤ用表示部１４ａが最も明るく、ＤＶＤ用スイッチ１３ｂが前々回に押圧されていると、ＤＶＤ用表示部１４ｂがＣＤ用表示部１４ａの次に明るく、最も暗いのがさらにそれ以前に押圧されたＢＤ用スイッチ１３ｃに対応するＢＤ用表示部１４ｃである。  この場合は、同一のスイッチ１３が連続して押圧されると、２回目以降はカウントされない。例えば、前回がＣＤ用スイッチ１３ａ、前々回がＣＤ用スイッチ１３ａ、その前がＤＶＤ用スイッチ１３ｂであると、前回がカウントされずに、前回がＣＤ用スイッチ１３ａ、前々回がＤＶＤ用スイッチ１３ｂとなる。
【００３４】
図５は、第２の実施形態にかかる操作部１５を示す図である。第２の実施形態にかかる操作部１５の形態変化では、表示部１４の色を変更することにより、使用度の高いスイッチ１３が強調される。図５において、「赤」、「黄」、「青」の文字は、実際に文字が表示されるのではなく、スイッチ１３の前面に設けられている表示部１４の色を示す。
第２の実施形態では、赤が最も使用度が高く、次に黄、最も使用度が低いのは青である。この場合も、スイッチ１３の前面に設けられている表示部１４の裏側に図示しない３色の発光ダイオードを設けることにより、表示部１４の色を変更することができる。
【００３５】
図５（ａ）は初期状態であり、ＣＤ用スイッチ１３ａに対応するＣＤ用表示部１４ａが赤であり、ＤＶＤ用スイッチ１３ｂに対応するＤＶＤ用表示部１４ｂが黄であり、ＢＤ用スイッチ１３ｃに対応するＢＤ用表示部１４ｃが青である。
図５（ｂ）は、ＢＤ、ＣＤ、ＤＶＤの順に使用度が高い場合の図である。ＢＤが最も使用度が高いので、ＢＤ用スイッチ１３ｃの前面に設けられているＢＤ用表示部１４ｃが赤になり、次いで使用度が高いＣＤに対応するＣＤ用表示部１４ａが黄になり、最も使用度が低いＤＶＤに対応するＤＶＤ用表示部１４ｂが青になる。
図５（ｃ）は、ＢＤ、ＤＶＤ、ＣＤの順に使用度が高い場合であり、ＢＤ用表示部１４ｃが赤であり、ＤＶＤ用表示部１４ｂが黄であり、ＣＤ用表示部１４ａが青である。
【００３６】
第２の実施形態においても、使用度に関しては、第１の実施形態と同様に、過去１０回スイッチ１３が押圧された中での使用頻度となっていてもよく、あるいは、過去１００回使用された中での使用頻度であってもよく、使用度としてカウントされるスイッチ１３の押圧回数は、適宜、変更可能である。
【００３７】
また、使用度が、使用順に基づくものであり、前回、前々回の順に低くなっていてもよい。使用順に基づく場合では、ＣＤ用スイッチ１３ａが前回に押圧されていると、ＣＤ用表示部１４ａが赤、ＤＶＤ用スイッチ１３ｂが前々回に押圧されているとＤＶＤ用表示部１４ｂが黄、さらにそれ以前に押圧されたＢＤ用スイッチ１３ｃに対応するＢＤ用表示部１３ｃが青である。使用順に基づく場合では、同一のスイッチが連続して押圧されると、２回目以降はカウントされないのは、表示部１４の明るさを変更する場合と同様である。
また、使用度が高い場合の色が目立つ色であることが好ましいが、使用度に対応する色は適宜変更でき、緑、橙などの他の色であってもよい。
【００３８】
図６は、第３の実施形態にかかる操作部１５を示す図である。
第３の実施形態にかかる操作部１５の形態変化では、大スイッチ１３α、中スイッチ１３β、小スイッチ１３γの３つの大きさが異なるスイッチ１３が設けられており、これらのスイッチ１３に対応する表示部１４α〜１４γの表示内容が互いに切り換わる。つまり、使用度が高いスイッチ１３ほどスイッチ１３の大きさが大きくなるように切り換えられる。表示部１４は液晶ディスプレイからなっており、ディスク１の種類が表示される。
また、スイッチ自体の大きさが変化するわけではなく、表示部１４のディスク１の種類表示が書き換えられるのに伴い、大きさが異なるスイッチ１３が相互に切り換わり、これに応じてスイッチ１３の機能も切り換わる。
【００３９】
図６（ａ）は初期状態であり、大スイッチ１３αに対応する大スイッチ用表示部１４αには「ＣＤ」と液晶表示されており、中スイッチ１３βに対応する中スイッチ用表示部１４βが「ＤＶＤ」と液晶表示されており、小スイッチ１３γに対応する小スイッチ用表示部１４γが「ＢＤ」と液晶表示されている。
【００４０】
図６（ｂ）は、ＢＤ、ＤＶＤ、ＣＤの順に使用度が高い場合の図である。ＢＤが最も使用度が高いので、大スイッチ用表示部１４αの表示が「ＢＤ」になり、
それに応じて大スイッチ１３αがＢＤの調整機能を有するものに切り換わる。次いでＤＶＤが使用度が高いので、中スイッチ用表示部１４βの表示が「ＤＶＤ」の状態のままであり、中スイッチ１３βがＤＶＤの調整機能を有する。ＣＤが最も使用度が低いので、小スイッチ用表示部１４γの表示が「ＣＤ」になり、小スイッチ１３γがＣＤの調整機能に対応するようになる。
図６（ｃ）は、ＢＤ、ＣＤ、ＤＶＤの順に使用度が高い場合であり、各表示部１４α、１４β、１４γに、使用度に対応してディスク１の種類が表示され、大スイッチ１３αがＢＤの調整機能、中スイッチ１３βがＣＤの調整機能、小スイッチ１３γがＤＶＤの調整機能を有するようになる。
【００４１】
第３の実施形態においても、第１および第２の実施形態と同様に、使用度に関しては、過去１０回スイッチ１３が押圧された中での使用頻度となっていてもよく、あるいは、過去１００回使用された中での使用頻度であってもよく、使用度としてカウントされるスイッチ１３の押圧回数は、適宜、変更可能である。
【００４２】
また、使用度が、使用順に基づくものであり、前回、前々回の順に低くなっていてもよい。使用順に基づく場合は、ＣＤが前回使用されていると、大スイッチ１３αがＣＤの調整機能を有し、ＤＶＤが前々回に使用されていると中スイッチ１３βがＤＶＤの調整機能を有する。さらに、使用順に基づく場合では、同一のスイッチ１３が連続して押圧されると、２回目以降はカウントされないのは、表示部１４の明るさや色を変更する場合と同様である。
【００４３】
本発明は、上述した実施形態に限られない。第１の実施形態および第２の実施形態では、表示部１４がスイッチ１３自体に設けられているが、スイッチ１３と表示部１４の対応関係がわかる位置であれば、表示部１４は、スイッチ１３の上方または下方など、スイッチ１３とは異なる位置に設けられていてもよい。
使用度に応じた変更は、明るさ、色、大きさの組み合わせであってもよい。したがって、同色で、色の明度が異なる場合も含まれる。
また、最も使用度の高いスイッチ１３のみが点灯することにより、明るさが変化するようにしていてもよい。
【図面の簡単な説明】
【００４４】
【図１】本発明のディスク再生装置のブロック図である。
【図２】本発明のディスク再生装置の全体図である。
【図３】第１の実施形態にかかる操作部を示す図である。
【図４】再生開始時のフローチャートである。
【図５】第２の実施形態にかかる操作部を示す図である。
【図６】第３の実施形態にかかる操作部を示す図である。
【符号の説明】
【００４５】
１      ディスク
１３    スイッチ
１４    表示部
１５    操作部
２０    ローディングトレイ
１００  ディスク再生装置
【図１】
2008310872.tif 000003
【図２】
2008310872.tif 000004
【図３】
2008310872.tif 000005
【図４】
2008310872.tif 000006
【図５】
2008310872.tif 000007
【図６】
2008310872.tif 000008